(57)【要約】【課題】  様々な状況に対応できる靴用滑り止めを提供する。【解決手段】  靴用滑り止め具は、一方の面に第１の滑り止め部を有し、他方の面に第２の滑り止め部を有する第１パッドと、第１パッドに設けられ、靴の爪先方向から靴に係止可能な第１装着部と、第１パッドに設けられ、靴の踵方向から靴に係止可能な第２装着部と、を備え、２の滑り止め部は、第１の滑り止め部より、滑り止めの効果が高く、第１装着部及び第２装着部は、第１パッドを反転して靴に係止可能である。【選択図】  図１０
2014204949.tif 000002
【特許請求の範囲】
【請求項１】
靴用滑り止め具であって、
一方の面に第１の滑り止め部を有し、他方の面に第２の滑り止め部を有する第１パッドと、
前記第１パッドに設けられ、前記靴の爪先方向から前記靴に係止可能な第１装着部と、
前記第１パッドに設けられ、前記靴の踵方向から前記靴に係止可能な第２装着部と、を備え、
前記２の滑り止め部は、前記第１の滑り止め部より、滑り止めの効果が高く、
前記第１装着部及び前記第２装着部は、前記第１パッドを反転して前記靴に係止可能であること
を特徴とする靴用滑り止め具。
【請求項２】
請求項１に記載の靴用滑り止め具であって、
前記第１装着部及び前記第２装着部の各々には、滑止部が設けられること
を特徴とする靴用滑り止め具。
【請求項３】
請求項１又は２に記載の靴用滑り止め具であって、
前記第１の滑り止め部は、第１のスパイクを有し、
前記第２の滑り止め部は、第２のスパイクを有し、
前記第２のスパイクの、前記第２の滑り止め部からの露出量のほうが、前記第１のスパイクの、前記第１の滑り止め部からの露出量より多いこと
を特徴とする靴用滑り止め具。
【請求項４】
請求項３に記載の靴用滑り止め具であって、
前記第２のスパイクは面を有し、前記靴の靴底と、当該面により接触すること
を特徴とする靴用滑り止め具。
【請求項５】
靴用滑り止め具であって、
一方の面に第１の滑り止め部を有し、他方の面に第２の滑り止め部を有する第１パッドと、
一方の面に第３の滑り止め部を有し、他方の面に第４の滑り止め部を有する第２パッドと、
前記第１パッドと前記第２パッドとを装架する装架部と、
前記第１パッドと筒状を成す第１装着部と、
前記第２パッドと筒状を成す第２装着部と、を備え、
前記２の滑り止め部及び前記第４の滑り止め部は、前記第１の滑り止め部及び前記第３の滑り止め部より、滑り止めの効果が高く、
前記第１装着部及び前記第２装着部は、前記第１パッド及び前記第２パッドを反転して前記靴に係止可能であること
を特徴とする靴用滑り止め具。
【発明の詳細な説明】
【技術分野】
【０００１】
本発明は、靴用滑り止め具に関するものである。
【背景技術】
【０００２】
靴に脱着可能な靴用滑り止め具が存在する。特許文献１には、ゴム製の基盤（１）の最前列に爪先部（２）、列ねて前の接地部（３）、接地部の両脇から細くしたＨ型の土踏まず部（４）を伸ばして踵部（５）に繋ぎ、踵部の後方には支柱部（６）を設け、その先端に厚くした踵の把手（７）を設け、その把手と支柱部の間に踵を縛る０字型ストッパー（９）を掛けて保持するＬ字突起（８）を支柱部の上部に設け、前の接地部と踵部を厚くして接地面全面に溝（１０）を施し、接地部中央付近の最接地部に複数個のスパイク鋲（１１）を地面と直角に先端を接地面と同一かそこより内部に埋め込んで固定した靴に着脱する滑り止め具が記載されている。
【先行技術文献】
【特許文献】
【０００３】
【特許文献１】特開2009-268794号公報
【発明の概要】
【発明が解決しようとする課題】
【０００４】
靴用の滑り止め具が必要な状況は様々である。特許文献１に記載の靴用滑り止め具は、スパイク鋲を地面と直角に先端を接地面と同一、又は、接地面より内部に埋め込んで固定している。従って、例えばアイスバーンの路面等のような滑りやすい状況では、特許文献１に記載の滑り止め具では十分に機能しない。
【０００５】
本発明はこのような事情に鑑みてなされたもので、様々な状況に対応できる靴用滑り止めを提供することを目的とする。
【課題を解決するための手段】
【０００６】
上記課題を解決するために、例えば特許請求の範囲に記載の構成を採用する。
【０００７】
本願は、靴用滑り止め具であって、一方の面に第１の滑り止め部を有し、他方の面に第２の滑り止め部を有する第１パッドと、一方の面に第３の滑り止め部を有し、他方の面に第４の滑り止め部を有する第２パッドと、前記第１パッドと前記第２パッドとを装架する装架部と、前記第１パッドと筒状を成す第１装着部と、前記第２パッドと筒状を成す第２装着部と、を備え、前記２の滑り止め部及び前記第４の滑り止め部は、前記第１の滑り止め部及び前記第３の滑り止め部より、滑り止めの効果が高く、前記第１装着部及び前記第２装着部は、前記第１パッド及び前記第２パッドを反転して前記靴に係止可能であることを特徴とする。
【０００８】
また、靴用滑り止め具であって、一方の面に第１の滑り止め部を有し、他方の面に第２の滑り止め部を有する第１パッドと、前記第１パッドに設けられ、前記靴の爪先方向から前記靴に係止可能な第１装着部と、前記第１パッドに設けられ、前記靴の踵方向から前記靴に係止可能な第２装着部と、を備え、前記２の滑り止め部は、前記第１の滑り止め部より、滑り止めの効果が高く、前記第１装着部及び前記第２装着部は、前記第１パッドを反転して前記靴に係止可能であることを特徴とする。
【発明の効果】
【０００９】
本発明の技術によれば、様々な状況に対応できる靴用滑り止めを提供することができる。上記以外の課題、構成および効果等は、以下の実施形態の説明により明らかにされる。
【図面の簡単な説明】
【００１０】
【図１】本実施形態の靴用滑り止め具の例である。
【図２】靴用滑り止め具の他方の面の例である。
【図３】靴用滑り止め具を靴に装着した模式図の例である。
【図４】靴用滑り止め具を反転させた例である。
【図５】靴用滑り止め具を反転させた例である。
【図６】第１のスパイクの一例である。
【図７】第２のスパイクの一例である。
【図８】靴用滑り止め具の一部の断面図である。
【図９】他の実施形態の靴用滑り止め具の例である。
【図１０】他の実施形態の靴用滑り止め具の例である。
【図１１】他の実施形態の靴用滑り止め具の例である。
【図１２】他の実施形態の靴用滑り止め具の例である。
【発明を実施するための形態】
【００１１】
以下、本発明の一実施形態を、図面を参照して詳細に説明する。以下の説明では、同じものに対しては同じ符号を付与し説明を省略する。
【００１２】
図１は、本実施形態の靴用滑り止め具の例である。靴用滑り止め具１００は、一部を除き、例えば軟性樹脂等により成型される。
【００１３】
図１において、靴用滑り止め具１００は、第１パッド１０１と第２パッド１０２とを有する。第１パッド１０１と第２パッド１０２とは、２つの装架部１０３により装架されている。
【００１４】
詳細は後述するが、本実施形態の靴用滑り止め具１００は、第１パッド１０１及び第２パッド１０２の両面が靴底への接触側となり得る。以下の説明では、靴底への接触側となり得る両面のうち、図１に示す側を第一面側、第一面側の反対面を第二面側とする。
【００１５】
第１パッド１０１の第一面側には、第１滑り止め部１１１が設けられている。第２パッド１０２の第一面側には、第２滑り止め部１１２が設けられている。第１滑り止め部１１１及び第２滑り止め部１１２の各々は、第１スパイク１５０を有する。第１スパイク１５０の数は任意であるが、ここでは、第１滑り止め部１１１は３つの第１スパイク１５０を有し、第２滑り止め部１１２は１つの第１スパイク１５０を有する。第１スパイク１５０の詳細は後述する。
【００１６】
図２は、靴用滑り止め具１００の第二面側を示す図の一例である。
【００１７】
図２において、第１ベルト１０４、第２ベルト１０５、第３ベルト１０７の各々はベルト状であり、これらにより使用者の靴に係止する。
【００１８】
第１ベルト１０４の両端部の各々は、第１パッド１０１の前方（爪先側）の両端近傍の各々に設けられている。第２ベルト１０５の両端部の各々は、第１パッド１０１の後方（踵側）の両端近傍の各々、即ち装架部１０３近傍に設けられている。第１ベルト１０４と第２ベルト１０５とは、接続ベルト１０６により装架されている。
【００１９】
第３ベルト１０７の両端部の各々は、第２パッド１０２の両横端の各々に設けられている。第３ベルト１０７は、舌状部１０８を有する。使用者は、舌状部１０８をつまんで引っ張り上げることで、第３ベルト１０７を靴の踵近傍に装着することができる。
【００２０】
第１パッド１０１の第二面側は、及び、第２パッド１０２の第二面側は、滑り止め機能を有する。第１パッド１０１の第一面側及び第２パッド１０２の第一面側と、第１パッド１０１の第二面側及び第２パッドの第二面側との差異は、第１パッド１０１の第二面側及び第２パッドの第二面側の滑り止め機能が、第１パッド１０１の第一面側及び第２パッド１０２の第一面側の滑り止め機能より強力な点である。この詳細は後述する。
【００２１】
図３は、靴用滑り止め具１００を靴に装着した模式図の一例である。なお、図３では、説明の簡易化のために、靴用滑り止め具１００の一部を省略している。
【００２２】
図３に一例を示すように、靴用滑り止め具１００の第１ベルト１０４及び第２ベルト１０５を、靴の甲側に係止し、第３ベルト１０７を靴の踵側に係止する。このように係止すると、靴底３０１は、靴用滑り止め具１００と、第一面側、又は、第二面側で接触する。靴底３０１を、他方の側と接触させたい場合、即ち、滑り止め機能の程度を変更したい場合は、使用者は、第１ベルト１０４〜舌状部１０８の各々を反転することで第１パッド１０１及び第２パッド１０２を反転させる。
【００２３】
図４、図５は、図１、２に一例を示す靴用滑り止め具１００の第１ベルト１０４〜舌状部１０８の各々を反転させた場合の図である。即ち、図４、図５は、第二面側の一例である。図４及び図５に一例を示すように、第１パッド及び第２パッドの各々は、第２スパイク１６０を有する。第２スパイク１６０の数は任意であるが、ここでは、第１パッドは３つの第１スパイク１５０、第２パッドは１つの第２スパイク１６０を有する。第２スパイク１６０の詳細は後述する。
【００２４】
なお、図１及び図４に一例を示すように、第１スパイク１５０及び第２スパイク１６０の各々は、第１パッドにおいて、略三角形の頂点に位置するように設けられる。即ち、１つの第１スパイク１５０及び第２スパイク１６０が、第１パッドの中心線上近傍の爪先側に設けられ、他の２つの第１スパイク１５０及び第２スパイク１６０の各々が、中心線に対し略直角を成す線上に、その中心線から略等間隔の位置に設けられる。
【００２５】
歩行の際に、靴の踵側から爪先側へ、又は、爪先側から踵側への体重移動が発生するが、第１スパイク１５０及び第２スパイク１６０の各々を上記位置に設けることにより、体重移動による滑りを効果的に防止することが可能となる。
【００２６】
ただし、第１スパイク１５０及び第２スパイク１６０の各々の位置は上記に限るわけではない。第１パッドにおいて、爪先側に１つの第１スパイク１５０及び第２スパイク１６０が位置し、それより後方（踵側）に、他の第１スパイク１５０及び第２スパイク１６０が位置すればよい。
【００２７】
また、第１滑り止め部１１１及び第２滑り止め部１１２の各々の、第１スパイク１５０以外の部分には、Ｌ字型の凸部１２０や、矩形の凸部１２１等を設けている。これにより、さらなる滑り止め効果を得ることが可能となる。
【００２８】
また、第１パッド１０１、第２パッド１０２、第１ベルト１０４、第２ベルト１０５、接続ベルト１０６、第３ベルト１０７、舌状部１０８、第１滑り止め部１１１、第２滑り止め部１１２、Ｌ字型の凸部１２０、矩形の凸部１２１等は、軟性樹脂により一体で成型されているものとする。さらに、この成型のときに、上記第１スパイク１５０及び第２スパイク１６０を同時に埋め込む。これにより、生産コストの削減、耐久性向上、装着性の向上を図ることができる。
【００２９】
上記のように、第二面側の滑り止め機能は、第一面側の滑り止め機能より強力である。これを実現するために、第二面側では第２のスパイクを用い、第一面側では第１のスパイクを用いる。以下、このスパイクの一例を説明する。
【００３０】
図６は、第１スパイク１５０の概要の一例を示す図である。図６に一例を示すように、第１スパイク１５０は、台座部１５１と複数のピン１５２とから構成されている。
【００３１】
図７は、第２スパイク１６０の概要の一例を示す図である。図７に一例を示すように、第２スパイク１６０は、台座部１６１と円柱部１６２とから構成されている。円柱部１６２の一方の端面が台座部１６１と接し、他方の端面には、凹部１６３が設けられている。
【００３２】
図８は、靴用滑り止め具１００を、第１スパイク１５０及び第２スパイク１６０の位置で切断した場合の断面図の一例である。なお、図８では、簡略化のために、第１スパイク１５０及び第２スパイク１６０以外の部分は省略して示している。
【００３３】
図８に一例を示すように、台座部１５１は第１滑り止め部１１１及び第２滑り止め部１１２に埋め込まれ、ピン１５２の先端のみが露出している。この露出量ｈ１は特に限定するものではないが、例えば、ピン１５２の先端が、第１滑り止め部１１１及び第２滑り止め部１１２の表面と略一致等、即ち、露出量ｈ１はゼロ近傍である。
【００３４】
また、台座部１６１は第１パッド及び第２パッドに埋め込まれ、円柱部１６２の一部が露出している。この露出量ｈ２は特に限定するものではないが、例えば、８ｍｍ程度である。
【００３５】
上記のように、靴底３０１は、第一面側又は第二面側で靴用滑り止め具１００と接触する。
【００３６】
従って、ピン１５２の先端は、靴底３０１と接触する。ピン１５２の先端は、上記のように、第１滑り止め部１１１及び第２滑り止め部１１２の表面と略一致等である。そのため、靴底３０１への損傷を低減するとともに、適度な滑り止め効果が得られる。
【００３７】
また、円柱部１６２の端面は、靴底３０１と接触する。靴底３０１は円柱部１６２と面８０１で接触するため、使用者の体重等による圧力が分散されて、靴底３０１への損傷を低減することができる。一方、円柱部１６２は凹部１６３を有し、さらに、第１パッド及び第２パッドから露出量ｈ２だけ露出しているため、アイスバーンや濡れた植物の上等の非常に滑りやすい場所にも好適な、高い滑り止め効果が得られる。
【００３８】
なお、上記のように、第１滑り止め部１１１、第２滑り止め部１１２は、Ｌ字型の凸部１２０や、矩形の凸部１２１等を有するが、これらの表面とは、このＬ字型の凸部１２０及び矩形の凸部１２１の先端（第１パッド１０１及び第２パッド１０２と接していない方）での位置を意味する。
【００３９】
以上、本実施形態を説明したが、靴用滑り止め具１００は上記に限るわけではなく、他の形態でもよい。
【００４０】
具体的には、例えば、接続ベルト１０６は無くてもよい。図９は、接続ベルト１０６が無い場合の靴用滑り止め具１００´の例である。この場合、第２ベルト１０５を、より後ろ方向（踵方向）の位置で靴に係止ことができる。これにより、同一サイズの靴用滑り止め具１００´で、より広い靴のサイズに対応可能となる。
【００４１】
即ち、第１ベルト１０４、第２ベルト１０５、第３ベルト１０７の各々は、第１パッド及び第２パッドの各々と筒状を成し、靴に係止可能であれば良い。また、ベルトの数は上記に限られるわけではなく、少なくとも靴の甲部分と、踵部分とで係止できればよい。
【００４２】
また、例えば、凹部１６３は無くてもよい。図１０は、凹部１６３が無い場合の、靴用滑り止め具１００を、第１スパイク１５０及び第２スパイク１６０´の位置で切断した場合の断面図の一例である。この場合、滑り止め効果のため、円柱部１６２´の直径は、上記円柱部１６２の直径より短いことが好ましい。
【００４３】
ただし、上記のように、靴底３０１への損傷低減のため、直径が短すぎることは好ましくない。円柱部１６２´の直径は、例えば２ｍｍ程度が考えられる。また、この場合の露出量ｈ２´は、上記露出量ｈ２と同じでもよいが、露出量ｈ２より短くても同様の効果を得られる。
【００４４】
また、例えば、接続ベルト１０６のみならず、第２パッド１０２、第２ベルト１０５が無くてもよい。図１１、１２は、第２パッド１０２、接続ベルト１０６、第２ベルト１０５が無い場合の靴用滑り止め具１３０の一例である。図１２は、図１１の靴用滑り止め具１３０の反対面である。
【００４５】
靴用滑り止め具１３０は、第１パッド１０１の前方（爪先方向）に第１ベルト１０４が設けられ、第１パッド１０１の後方（踵方向）に第３ベルト１３５が設けられる。靴用滑り止め具１３０は、上記図３と同様に、靴の爪先側から第１ベルト１０４により靴の爪先近傍に係止され、靴の踵側から第３ベルト１３５により靴の踵近傍に係止される。第１ベルト１０４及び第３ベルト１３５により、第１パッド１０１が靴底３０１に対し反転可能に装着できる。
【００４６】
靴用滑り止め具１３０の場合、第２ベルト１０５が無いので、足甲周囲の寸法に対する許容性を向上させることができる。これにより、同一サイズの靴用滑り止め具１３０で、より広い靴のサイズに対応可能となり、また、脱着が容易となる。さらに、構造が簡易化されるので、コスト低減が可能となる。
【００４７】
また、靴用滑り止め具１３０の第１ベルト１０４の両面側の各々には第１滑止部１３６が設けられ、第３ベルト１３５及び舌状部１０８の両面側の各々には第２滑止部１３７が設けられる。図１１、図１２の例では、第１滑止部１３６は、第１ベルト１０４の中央部近傍に、第１ベルト１０４の長手方向に沿って形成された凹部及び/又は凸部から構成される。また、第２滑止部１３７は、第３ベルト１３５の中央部近傍及び舌状部１０８に、第３ベルト１３５の長手方向に沿って形成された凹部及び/又は凸部から構成される。
【００４８】
これにより、靴への係止作業時及び係止作業後の靴及び手に対する滑りを防ぐことが可能となる。ただし、第１滑止部１３６及び第２滑止部１３７の具体的な構造は上記に限定せず、靴への係止作業時及び係止作業後の滑りを防止可能な凹部及び/又は凸部等から構造されれば良い。
【００４９】
また、上記実施形態では、スパイクにより、第二面側の滑り止め機能の程度と、第一面側の滑り止め機能の程度とを異なるものにしているが、滑り止め機能の強弱を実現する技術は上記に限らない。例えば、第一面側及び第二面側の両方に、かならずしもスパイクを用いる必要はない。軟性樹脂の構成のみで上記滑り止め機能の強弱を実現してもよく、また、軟性樹脂の構成と、スパイクとを組み合わせることで、滑り止め機能の強弱を実現してもよい。
【００５０】
以上、本発明者によってなされた発明を実施の形態に基づき具体的に説明したが、本発明は前記実施の形態に限定されるものではなく、その要旨を逸脱しない範囲で種々変更可能であることはいうまでもない。例えば、上記の実施例は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００５１】
１００・１３０：靴用滑り止め具、１０１：第１パッド、１０２：第２パッド、１０３：装架部、１０４：第１ベルト、１０５：第２ベルト、１０６：接続ベルト、１０７・１３５：第３ベルト、１０８：舌状部、１１１：第１滑り止め部、１１２：第２滑り止め部、１５０：第１スパイク、１５１：台座部、１５２：ピン、１６０：第２スパイク、１６１：台座部、１６２：円柱部、１６３：凹部、３０１：靴底、８０１：面、１３６：第１滑止部、１３７：第２滑止部
【図１】
2014204949.tif 000003
【図２】
2014204949.tif 000004
【図３】
2014204949.tif 000005
【図４】
2014204949.tif 000006
【図５】
2014204949.tif 000007
【図６】
2014204949.tif 000008
【図７】
2014204949.tif 000009
【図８】
2014204949.tif 000010
【図９】
2014204949.tif 000011
【図１０】
2014204949.tif 000012
【図１１】
2014204949.tif 000013
【図１２】
2014204949.tif 000014